(57)【要約】【課題】無線端末の消費電力の削減を図ること。【解決手段】無線通信装置１には、他の端末が通信相手として関係づけられている。無線通信装置１は、第１の動作状態から第２の動作状態への移行の要求を送信し、その要求に対して、通信相手として関係づけられた端末の状態に応じて決定された応答を受信する。無線通信装置１は、受信した応答に基づいて、間欠的に受信を行う周期を第１の周期または第２の周期に制御する。管理装置２は、無線通信装置１からの、第１の動作状態から第２の動作状態への移行の要求に対して、無線通信装置１の通信相手として関係づけられた端末の状態を確認する。管理装置２は、無線通信装置１の通信相手として関係づけられた端末の状態に基づいて、無線通信装置１が間欠的に受信を行う際の受信の周期を第１の周期または第２の周期に決定する。【選択図】図１
2010232707.tif 000002
【特許請求の範囲】
【請求項１】
端末の状態に関する情報を保持する記憶部と、
第１端末からの要求に対して、該記憶部に保持されている情報に基づいて、該第１端末の通信相手として関係づけられた第２端末の状態を確認し、該第２端末の状態に基づいて、該第１端末が間欠的に受信を行う周期を変更前の周期に対して長い周期に変更する制御を行う制御部と、
を備えることを特徴とする管理装置。
【請求項２】
前記制御部は、前記第２端末がアイドル状態である場合に、前記第１端末が間欠的に受信を行う周期を前記変更前の周期に対して前記長い周期に変更することを特徴とする請求項１に記載の管理装置。
【請求項３】
前記制御部は、前記第１端末の通信相手として関係づけられた前記第２端末の数と、予め設定された閾値とに基づいて、前記第１端末が間欠的に受信を行う周期を決定することを特徴とする請求項１または２に記載の管理装置。
【請求項４】
前記制御部は、前記第１端末からの前記要求に対して前記第１端末が間欠的に受信を行う周期を前記変更前の周期に対して前記長い周期に変更する際に状態を確認した前記第２端末からの要求に対して、前記第１端末が間欠的に受信を行う周期を前記長い周期から前記変更前の周期に変更することを特徴とする請求項１〜３のいずれか一つに記載の管理装置。
【請求項５】
第１の動作状態から第２の動作状態への移行の要求を送信する送信部と、
該送信部から送信された該要求に対して、通信相手として関係づけられた端末の状態に応じた応答を受信する受信部と、
該受信部で受信された該応答に基づいて、該受信部が間欠的に受信を行う周期を変更前の周期に対して長い周期に変更する制御を行う受信制御部と、
を備えることを特徴とする無線通信装置。
【請求項６】
通信相手として関係づけられた前記端末の情報を保持する記憶部、をさらに備え、
前記送信部は、前記要求に、通信相手として関係づけられた前記端末の情報を含めて送信することを特徴とする請求項５に記載の無線通信装置。
【請求項７】
前記記憶部に保持された、通信相手として関係づけられた前記端末の数と、予め設定された閾値とに基づいて、前記要求に、通信相手として関係づけられた前記端末の情報を含めるか否かを制御する制御部、をさらに備えることを特徴とする請求項６に記載の無線通信装置。
【請求項８】
第１の動作状態から第２の動作状態への移行の要求に対して、通信相手として関係づけられた端末の状態に応じた応答を受信し、該応答に基づいて、間欠的に受信を行う周期を変更前の周期に対して長い周期に変更する制御を行う無線通信装置と、
該無線通信装置からの要求に対する応答として、該無線通信装置の通信相手として関係づけられた端末の状態を確認し、該端末の状態に基づいて、該無線通信装置が間欠的に受信を行う周期を前記変更前の周期に対して前記長い周期に変更する制御を行う管理装置と、
を備えることを特徴とする無線通信システム。
【請求項９】
無線通信装置が管理装置へ、第１の動作状態から第２の動作状態への移行を要求するステップと、
該管理装置が該無線通信装置からの要求に対する応答として、該無線通信装置の通信相手として関係づけられた端末の状態を確認し、該端末の状態に基づいて、該無線通信装置が間欠的に受信を行う周期を変更前の周期に対して長い周期に変更する制御を行うステップと、
該無線通信装置が、該管理装置からの応答に基づいて、間欠的に受信を行う周期を前記変更前の周期に対して前記長い周期に変更する制御を行うステップと、
を含むことを特徴とする無線通信方法。
【発明の詳細な説明】
【技術分野】
【０００１】
この発明は、管理装置、無線通信装置、無線通信システムおよび無線通信方法に関する。
【背景技術】
【０００２】
従来、移動通信システムにおいて、無線端末が通信を行っていないときに、通信可能な通常状態からアイドル状態に移行し、間欠的に受信を行う技術が知られている。例えば、無線基地局が報知チャネルの受信要否を移動局に通知する第１の指示情報を報知チャネルに付与し、呼出情報の有無を移動局に通知するための第２の指示情報を呼出チャネルに付与し、その報知チャネルと呼出チャネルを制御チャネル上に間欠送信するようにした技術が知られている（例えば、特許文献１参照。）。また、設定された受信間隔時間以上の間、受信がない場合に、通常の間欠受信間隔の設定を倍の設定に変更するようにしたバッテリセービング方法が知られている（例えば、特許文献２参照。）。
【先行技術文献】
【特許文献】
【０００３】
【特許文献１】特開２００５−２６９９１号公報
【特許文献２】特開２００４−１３４９０４号公報
【発明の概要】
【発明が解決しようとする課題】
【０００４】
無線端末は、アイドル状態では間欠的に受信を行い、着信の有無を確認する。無線端末が限られた相手としか通信しない場合、相手の無線端末がアイドル状態にあれば、着信の可能性は低い。しかしながら、従来の技術では、無線端末は、相手の無線端末がアイドル状態であるときと通信可能な通常状態にあるときとで、着信の有無を確認する周期は同じである。つまり、無線端末において、電力が無駄に消費されているという問題点がある。
【０００５】
本発明は、無線端末の消費電力の削減を図ることを目的とする。
【課題を解決するための手段】
【０００６】
この管理装置、無線通信装置、無線通信システムおよび無線通信方法は、無線通信装置が第１の動作状態から第２の動作状態へ移行する際に、この無線通信装置に通信相手として関係づけられた端末の状態を確認する。そして、無線通信装置に通信相手として関係づけられた端末の状態に基づいて、無線通信装置が第２の動作状態において間欠的に受信を行う周期を変更前の周期に対して長い周期に変更する。
【発明の効果】
【０００７】
この管理装置、無線通信装置、無線通信システムおよび無線通信方法によれば、無線端末の消費電力の削減を図ることができるという効果を奏する。
【図面の簡単な説明】
【０００８】
【図１】本発明の実施の形態１における無線通信システムのブロック図である。
【図２】本発明の実施の形態１における無線通信システムのシーケンス図である。
【図３】本発明の実施の形態２における無線通信システムのブロック図である。
【図４】本発明の実施の形態２における管理装置のブロック図である。
【図５】本発明の実施の形態２における端末のブロック図である。
【図６】本発明の実施の形態２における無線通信システムのシーケンス図である。
【図７】本発明の実施の形態２における無線通信システムのシーケンス図である。
【図８】本発明の実施の形態２における管理装置のフローチャートである。
【図９】本発明の実施の形態３における管理装置のブロック図である。
【図１０】本発明の実施の形態３における無線通信システムのシーケンス図である。
【図１１】本発明の実施の形態３における管理装置のフローチャートである。
【図１２】本発明の実施の形態３における管理情報を示す図表である。
【図１３】本発明の実施の形態３における無線通信システムのシーケンス図である。
【図１４】本発明の実施の形態３における管理装置のフローチャートである。
【図１５】本発明の実施の形態３における管理情報を示す図表である。
【図１６】本発明の実施の形態４における端末のブロック図である。
【図１７】本発明の実施の形態４における無線通信システムのシーケンス図である。
【図１８】本発明の実施の形態４における管理装置のフローチャートである。
【図１９】本発明の実施の形態５における無線通信システムのシーケンス図である。
【図２０】本発明の実施の形態６における端末のブロック図である。
【図２１】本発明の実施の形態６における無線通信システムのシーケンス図である。
【図２２】本発明の実施の形態７における管理装置のブロック図である。
【図２３】本発明の実施の形態７における無線通信システムのシーケンス図である。
【図２４】本発明の実施の形態７における管理装置のフローチャートである。
【図２５】本発明の実施の形態８における無線通信システムのブロック図である。
【図２６】本発明の実施の形態８におけるＡＡＡサーバのブロック図である。
【図２７】本発明の実施の形態８における無線通信システムのシーケンス図である。
【発明を実施するための形態】
【０００９】
以下に添付図面を参照して、本発明を実施するための形態について図面を用いて詳細に説明する。各実施の形態の説明において、同様の構成には同一の符号を付して、重複する説明を省略する。
【００１０】
（実施の形態１）
・無線通信システム、管理装置および無線通信装置の構成
図１は、本発明の実施の形態１における無線通信システムのブロック図である。図１に示すように、無線通信システムは、無線通信装置１および管理装置２を備えている。無線通信装置１には、図示しない端末が通信相手として関係づけられている。無線通信システムには、無線通信装置１に通信相手として関係づけられていない、図示しない端末が存在していてもよい。なお、無線通信装置１に通信相手として関係づけられた通信装置の情報は、この無線通信装置１が記憶していてもよいし、管理装置２、又は他の装置が記憶していてもよい。いずれにしても、管理装置２は、無線通信装置１に通信相手として関係づけられた通信相手の情報を当該情報を記憶する装置に問い合わせて取得すればよい。もちろん、管理装置２自身が当該情報を記憶する場合は、記憶情報を読み出すことで容易に通信相手として関係づけられた通信装置を特定することができる。ここでは、管理装置２自身が当該情報を記憶する場合を例にあげて説明する。
【００１１】
無線通信装置１は、送信部３、受信制御部４および受信部５を備えている。送信部３は、第１の動作状態から第２の動作状態への移行の要求を送信する。受信部５は、送信部３から送信された要求に対して、通信相手として関係づけられた端末の状態に応じて決定された応答を受信する。受信部５が受信する応答には、例えば受信部５が間欠的に受信を行う際の受信の周期に関する情報が含まれている。受信制御部４は、受信部５で受信された応答に基づいて、受信部５が間欠的に受信を行う周期を変更前の周期に対して長い周期に変更する制御を行う。すなわち、第１の周期Ｔ１から第２の周期Ｔ２（Ｔ１＜T２）に変更する。
【００１２】
管理装置２は、記憶部６および制御部７を備えている。記憶部６は、端末の状態に関する情報を保持する。制御部７は、無線通信装置１からの、第１の動作状態から第２の動作状態への移行の要求に対して、記憶部６に保持されている情報に基づいて、無線通信装置１の通信相手として関係づけられた端末の状態を確認する。制御部７は、無線通信装置１の通信相手として関係づけられた端末の状態に基づいて、無線通信装置１が間欠的に受信を行う際の受信の周期を第１の周期または第２の周期に決定する。決定された周期は、無線通信装置１からの要求に対する応答として、無線通信装置１に返される。
【００１３】
・無線通信システムの動作
図２は、本発明の実施の形態１における無線通信システムのシーケンス図である。図２に示すように、無線通信装置１は、管理装置２へ、第１の動作状態から第２の動作状態への移行を要求する（ステップＳ１）。管理装置２は、無線通信装置１が発した動作状態の移行の要求を受け取ると、無線通信装置１の通信相手として関係づけられた端末の状態を確認する。管理装置２は、無線通信装置１の通信相手として関係づけられた端末の状態に基づいて、無線通信装置１が間欠的に受信を行う際の受信の周期を第１の周期または第２の周期に決定する（ステップＳ２）。管理装置２は、決定された周期を、無線通信装置１が発した動作状態の移行の要求に対する応答として、無線通信装置１へ返す（ステップＳ３）。無線通信装置１は、管理装置２からの応答に基づいて、間欠的に受信を行う際の受信の周期を第１の周期または第２の周期に制御する（ステップＳ４）。
【００１４】
実施の形態１によれば、無線通信装置１が第２の動作状態にあるときに、無線通信装置１の通信相手として関係づけられた端末の状態に応じて、無線通信装置１が間欠的に受信を行う際の受信の周期が第１の周期よりも長い第２の周期に制御される。従って、無線通信装置１が第２の動作状態にあるときの消費電力を削減することができる。なお、周期を第１の周期（T１）から第２の周期（Ｔ２＞Ｔ１）に変更する契機としては、例えば、無線通信装置１の通信相手として関係づけられた端末がアイドル状態とすることができる。このような状況では、通信相手からの着信がある可能性も低いため、間欠受信の周期を長くしても着信の検出が遅れるデメリットも少ない。
【００１５】
ここで、無線通信システムとして、例えばモバイル通信用途向けの８０２．１６ｅ仕様（８０２．１６ｅ−２００５）のシステムやＬｏｎｇ  Ｔｅｒｍ  Ｅｖｏｌｕｔｉｏｎ（ＬＴＥ）のシステムなど、発信および着信によって端末同士での通話が可能なシステムが挙げられる。８０２．１６ｅ仕様（８０２．１６ｅ−２００５）は、Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ（ＩＥＥＥ、電気電子学会）の８０２．１６ワーキンググループにより標準化された仕様である。ＬＴＥは、３ｒｄ  Ｇｅｎｅｒａｔｉｏｎ  Ｐａｒｔｎｅｒｓｈｉｐ  Ｐｒｏｊｅｃｔ（３ＧＰＰ、第３世代移動体通信システムの標準化プロジェクト）において標準化が進められている。また、無線通信装置１や端末として、例えば携帯電話やＰｅｒｓｏｎａｌ  Ｈａｎｄｙｐｈｏｎｅ  Ｓｙｓｔｅｍ（ＰＨＳ）やＰｅｒｓｏｎａｌ  Ｄｉｇｉｔａｌ  Ａｓｓｉｓｔａｎｔｓ（ＰＤＡ）などの携帯端末、または無線通信カードが内蔵または装着されたパーソナルコンピュータなどが挙げられる。管理装置２として、例えばページングに関する制御を行うページングコントローラが挙げられる。以下に、８０２．１６ｅ仕様（８０２．１６ｅ−２００５）の無線通信システムについて説明する。
【００１６】
（実施の形態２）
・無線通信システムの構成
図３は、本発明の実施の形態２における無線通信システムのブロック図である。図３に示すように、無線通信システムは、無線通信装置として第１端末１１、第２端末１２および第３端末１３を備えている。また、無線通信システムは、基地局１４および管理装置１５を備えている。第１端末１１と第２端末１２は、互いに通信相手として関係づけられたグループに属する。このようなグループとして、例えば家族や友人などのように、特定の関係を有する集団が挙げられる。第２端末１２は、１個でもよいし、複数個でもよい。第３端末１３は、第１端末１１の通信相手として関係づけられていない。すなわち、第３端末１３は、第１端末１１と同じグループに属していない端末である。第３端末１３は、１個でもよいし、複数個でもよい。また、基地局１４および管理装置１５は、それぞれ１個でもよいし、複数個でもよい。管理装置１５は、例えばネットワークを介して基地局１４に接続されている。実施の形態２では、第１端末１１は、第１端末１１に通信相手として関係づけられた端末の情報を保持しており、その保持している端末の情報を管理装置１５へ通知する。
【００１７】
・管理装置の構成
図４は、本発明の実施の形態２における管理装置のブロック図である。図４に示すように、管理装置１５は、記憶部２１、制御部２２およびネットワークインタフェース２３を備えている。記憶部２１は、各端末のアイドル状態に関する種々の管理情報２４、および第１端末１１に通信相手として関係づけられた端末の情報２５を保持する。各端末のアイドル状態に関する種々の管理情報２４として、例えば端末の識別子、動作状態（通常状態、アイドル状態）およびページング周期などの情報が挙げられる。アイドル状態の端末は、ページング周期で間欠的にページングメッセージを受信する。通信相手として関係づけられた端末の情報２５には、例えば第２端末１２の情報が含まれる。この通信相手として関係づけられた端末の情報２５は、第１端末１１から通知され、記憶部２１に格納された情報である。制御部２２は、ページング周期決定部２６および制御メッセージ処理部２７を備えている。ページング周期決定部２６は、端末のページング周期を決定する。制御メッセージ処理部２７は、受信したメッセージを解析したり、送信するメッセージを生成する。ネットワークインタフェース２３は、基地局１４、別の管理装置または上位ネットワークとの間でのデータの送受信を司るインタフェースである。
【００１８】
・端末の構成
図５は、本発明の実施の形態２における端末のブロック図である。図５に示すように、第１端末１１は、アンテナ３１、無線インタフェース３２、データ処理部３３、送信部３４、受信部３５、制御部３６、記憶部３７および受信制御部３８を備えている。アンテナ３１は、外部、例えば基地局１４との通信インタフェースである。無線インタフェース３２は、アンテナ３１を介して例えば基地局１４との間で無線信号の送受信を行うインタフェースである。データ処理部３３は、ユーザアプリケーションなどのデータを処理する。送信部３４は、データ処理部３３により生成されたデータを処理する。
【００１９】
送信部３４は、送信データバッファ３９、Ｐｒｏｔｏｃｏｌ  Ｄａｔａ  Ｕｎｉｔ（ＰＤＵ、プロトコルデータユニット）生成部４０および送信処理部４１を備えている。送信データバッファ３９は、データ処理部３３により生成されたデータを、Ｓｅｒｖｉｃｅ  Ｄａｔａ  Ｕｎｉｔ（ＳＤＵ、サービスデータユニット）として一時的に保持する。ＰＤＵ生成部４０は、基地局１４から送信スロットが割り当てられると、ＳＤＵをＰＤＵに変換する。送信処理部４１は、ＰＤＵ生成部４０により生成されたＰＤＵに対して符号化および変調を行い、無線フレームを生成する。生成された無線フレームは、無線インタフェース３２により、基地局宛の上りの無線信号に変換され、アンテナ３１から送信される。
【００２０】
受信部３５は、受信処理部４２、識別部４３および受信データ再生部４４を備えている。アンテナ３１および無線インタフェース３２は、基地局１４からの下りの無線信号を受信する。無線インタフェース３２は、受信した信号を受信処理部４２へ送る。受信処理部４２は、受信信号から受信フレームを抽出して、復調および復号を行う。識別部４３は、復調および復号されたデータを制御メッセージとユーザデータに振り分ける。ユーザデータである場合、受信データ再生部４４は、ユーザデータ（ＰＤＵ）をＳＤＵに変換し、上位のデータ処理部３３へ渡す。
【００２１】
制御部３６は、送信部３４および受信部３５に対する制御を行う。また、制御部３６は、状態管理部４５および制御メッセージ処理部４６を備えている。状態管理部４５は、通常状態とアイドル状態との切り替えを管理する。制御メッセージ処理部４６は、基地局１４から受信したメッセージを解析したり、基地局１４へ送信するメッセージを生成する。
【００２２】
記憶部３７は、アイドル状態に関する管理情報４７、および第１端末１１に通信相手として関係づけられた端末の情報４８を保持する。アイドル状態に関する管理情報４７には、例えば管理装置１５により指示されたページング周期などの情報が含まれる。通信相手として関係づけられた端末の情報４８には、例えば第２端末１２の情報が含まれる。
【００２３】
受信制御部３８は、制御部３６からの指示により、記憶部３７に保持されたページング周期に基づいて、受信部３５での処理を制御する。受信部３５は、Ｐａｇｉｎｇ  Ｌｉｓｔｅｎｉｎｇ  Ｉｎｔｅｒｖａｌ（ＰＬＩ、ページングリスニング期間）においてメッセージを受信し、受信したメッセージを処理する。受信部３５は、Ｐａｇｉｎｇ  Ｕｎａｖａｉｌａｂｌｅ  Ｉｎｔｅｒｖａｌ（ＰＵＩ、非ページングリスニング期間）では、ページングメッセージを受信しない。第２端末１２の構成は、第１端末１１の構成と同様である。第３端末１３の構成は、第１端末１１の構成と同様であってもよいし、通信相手として関係づけられた端末の情報４８を記憶部に保持しない構成の端末であってもよい。
【００２４】
・無線通信システムの動作
図６は、本発明の実施の形態２における無線通信システムのシーケンス図である。図６に示すように、第１端末１１は、通常状態からアイドル状態へ移行しようとするとき、接続中の基地局１４へ例えばＤｅ−ｒｅｇｉｓｔｒａｔｉｏｎ＿Ｒｅｑｕｅｓｔ（ＤＲＥＧ−ＲＥＱ、登録解除要求）メッセージを送信する（ステップＳ１１）。ＤＲＥＧ−ＲＥＱメッセージには、例えば第１端末１１に通信相手として関係づけられた端末（第２端末１２）の情報、Ｄｅ−ｒｅｇｉｓｔｒａｔｉｏｎ＿Ｒｅｑｕｅｓｔ＿Ｃｏｄｅ（要求する登録解除の種別）、Ｔａｇ−Ｌｅｎｇｔｈ−Ｖａｌｕｅ（ＴＬＶ）形式のＰａｇｉｎｇ  Ｃｙｃｌｅ  Ｒｅｑｕｅｓｔ（希望するページング周期）、ＴＬＶ形式のＩｄｌｅ  Ｍｏｄｅ  Ｒｅｔａｉｎ  Ｉｎｆｏｒｍａｔｉｏｎ（管理装置１５に保持させておく情報）などが含まれている。
【００２５】
基地局１４は、第１端末１１から例えばＤＲＥＧ−ＲＥＱメッセージを受け取ると、管理装置１５へ例えばＩＭ＿Ｅｎｔｒｙ＿Ｓｔａｔｅ＿Ｃｈａｎｇｅ＿Ｒｅｑ（状態変更要求）メッセージを送信する（ステップＳ１２）。ＩＭ＿Ｅｎｔｒｙ＿Ｓｔａｔｅ＿Ｃｈａｎｇｅ＿Ｒｅｑメッセージには、第１端末１１に通信相手として関係づけられた端末（第２端末１２）の情報が含まれている。
【００２６】
管理装置１５は、基地局１４から例えばＩＭ＿Ｅｎｔｒｙ＿Ｓｔａｔｅ＿Ｃｈａｎｇｅ＿Ｒｅｑメッセージを受け取ると、アイドル状態に関する種々の管理情報２４に格納されている第２端末１２の情報を参照し、第２端末１２の状態を確認する（ステップＳ１３）。その際、第２端末１２の管理情報が図示しない別の管理装置により管理されている場合には、管理装置１５は当該別の管理装置に対して問い合わせを行い、第２端末１２の管理情報を取得してもよい。ここでは、第２端末１２の状態が通常状態である。従って、管理装置１５は、第１端末１１のページング周期を第１のページング周期に決定する。そして、管理装置１５は、例えばＩＭ＿Ｅｎｔｒｙ＿Ｓｔａｔｅ＿Ｃｈａｎｇｅ＿Ｒｓｐ（状態変更応答）メッセージを基地局１４へ送信する（ステップＳ１４）。ＩＭ＿Ｅｎｔｒｙ＿Ｓｔａｔｅ＿Ｃｈａｎｇｅ＿Ｒｓｐメッセージには、第１端末１１に第１のページング周期を指示する情報が含まれている。
【００２７】
基地局１４は、管理装置１５から例えばＩＭ＿Ｅｎｔｒｙ＿Ｓｔａｔｅ＿Ｃｈａｎｇｅ＿Ｒｓｐメッセージを受け取ると、第１端末１１へ例えばＤｅ−ｒｅｇｉｓｔｒａｔｉｏｎ＿Ｃｏｍｍａｎｄ（ＤＲＥＧ−ＣＭＤ、登録解除命令）メッセージを送信する（ステップＳ１５）。ＤＲＥＧ−ＣＭＤメッセージには、第１端末１１に第１のページング周期を指示する情報が含まれている。第１端末１１は、基地局１４から例えばＤＲＥＧ−ＣＭＤメッセージを受け取ると、アイドル状態へ移行し（ステップＳ１６）、第１のページング周期でＰＬＩおよびＰＵＩを管理する。
【００２８】
図７は、本発明の実施の形態２における無線通信システムのシーケンス図である。図７に示すように、ステップＳ１３で第２端末１２の状態を確認したところ、第２端末１２がアイドル状態にあるので、管理装置１５は、第１端末１１のページング周期を第２のページング周期に決定する。第２のページング周期は、前記第１のページング周期よりも長い。管理装置１５は、基地局１４を介して第１端末１１へ第２のページング周期を指示する（ステップＳ１４、ステップＳ１５）。それによって、第１端末１１は、アイドル状態へ移行し（ステップＳ１６）、第２のページング周期でＰＬＩおよびＰＵＩを管理する。
【００２９】
・管理装置の動作
図８は、本発明の実施の形態２における管理装置のフローチャートである。管理装置１５がＩＭ＿Ｅｎｔｒｙ＿Ｓｔａｔｅ＿Ｃｈａｎｇｅ＿Ｒｅｑを受信すると、管理装置１５において処理が開始される。図８に示すように、まず、管理装置１５は、基地局１４を介して第１端末１１から、第１端末１１に通信相手として関係づけられた端末（第２端末１２）の情報を取得し、記憶部２１に通信相手として関係づけられた端末の情報２５として保持する（ステップＳ２１）。次いで、管理装置１５は、アイドル状態に関する種々の管理情報２４を参照し、第１端末１１に通信相手として関係づけられた端末（第２端末１２）の状態を参照する（ステップＳ２２）。
【００３０】
第１端末１１に通信相手として関係づけられた全ての端末（第２端末１２）がアイドル状態である場合（ステップＳ２３：Ｙｅｓ）、管理装置１５は、ページング周期決定部２６により第１端末１１のページング周期を第２のページング周期に決定する（ステップＳ２４）。一方、第１端末１１に通信相手として関係づけられた端末（第２端末１２）のうち一つでも通常状態である場合（ステップＳ２３：Ｎｏ）、管理装置１５は、ページング周期決定部２６により第１端末１１のページング周期を第１のページング周期に決定する（ステップＳ２５）。次いで、管理装置１５は、アイドル状態に関する種々の管理情報２４のうち、第１端末１１の状態をアイドル状態に更新し（ステップＳ２６）、一連の処理を終了する。
【００３１】
実施の形態２によれば、第１端末１１がアイドル状態のとき、第１端末１１に通信相手として関係づけられた全ての端末（第２端末１２）がアイドル状態であれば、第１端末１１に着信がないので、第１端末１１のページング周期は、長い周期となる。従って、アイドル状態の第１端末１１の消費電力を削減することができる。一方、第１端末１１がアイドル状態であっても、第１端末１１に通信相手として関係づけられた端末（第２端末１２）が通常状態であれば、その通常状態の端末が第１端末１１を呼び出す可能性があるので、第１端末１１のページング周期は、短い周期となる。従って、第１端末１１がアイドル状態にあるときに第１端末１１が呼び出されても、第１端末１１は迅速に応答することができる。
【００３２】
（実施の形態３）
・管理装置の構成
図９は、本発明の実施の形態３における管理装置のブロック図である。図９に示すように、管理装置１５は、記憶部２１にフラグの情報５１を保持する。フラグの情報５１は、第１端末１１が通常状態からアイドル状態への移行を要求したときに、第１端末１１に通信相手として関係づけられた端末として状態が参照され、かつ第１端末１１のページング周期が第２のページング周期に決定されたことを示す情報である。管理装置１５は、制御部２２にフラグ処理部５２を備えている。フラグ処理部５２は、記憶部２１にフラグの情報５１を設定したり、フラグの情報５１を参照する。実施の形態３では、第１端末１１に通信相手として関係づけられた第２端末１２がアイドル状態から通常状態へ復帰することにより、第１端末１１のページング周期が第２のページング周期から第１のページング周期へ変更される。無線通信システムおよび端末については、実施の形態２と同様である。
【００３３】
・無線通信システムの動作１
図１０は、本発明の実施の形態３における無線通信システムのシーケンス図である。図１０に示すように、ステップＳ１３で、第１端末１１に通信相手として関係づけられた第２端末１２がアイドル状態である場合、管理装置１５は、第１端末１１のページング周期を第２のページング周期に決定する（ステップＳ１３）。そして、管理装置１５は、記憶部２１にフラグの情報５１を設定する（ステップＳ１７）。管理装置１５からの指示によって（ステップＳ１４、ステップＳ１５）、第１端末１１は、アイドル状態へ移行し（ステップＳ１６）、第２のページング周期でＰＬＩおよびＰＵＩを管理する。
【００３４】
・管理装置の動作１
図１１は、本発明の実施の形態３における管理装置のフローチャートである。図１１に示すように、管理装置１５は、第１端末１１のページング周期を第２のページング周期に決定し（ステップＳ２４）、その後、第１端末１１に通信相手として関係づけられた端末（第２端末１２）の情報に、フラグの情報５１を設定する（ステップＳ２７）。管理装置１５は、第１端末１１のページング周期を第１のページング周期に決定した場合（ステップＳ２５）、フラグの情報５１を設定しない。
【００３５】
図１２は、本発明の実施の形態３における管理情報を示す図表である。図１２に示すように、第２端末１２の状態が参照され、かつ第１端末１１のページング周期が第２のページング周期に決定されたので、第２端末１２のフラグの情報５１として、「第１端末」という情報が保持されている。
【００３６】
・無線通信システムの動作２
図１３は、本発明の実施の形態３における無線通信システムのシーケンス図である。第１端末１１および第２端末１２がアイドル状態にあり、かつ第１端末１１のページング周期が第２のページング周期に設定されているとする。図１３に示すように、第２端末１２は、アイドル状態から通常状態へ復帰する際、基地局１４へ例えばＲａｎｇｉｎｇ＿Ｒｅｑｕｅｓｔ（ＲＮＧ−ＲＥＱ、レンジング要求）メッセージを送信して、ネットワークへの再エントリーを開始する（ステップＳ３１）。基地局１４は、第２端末１２から例えばＲＮＧ−ＲＥＱメッセージを受け取ると、管理装置１５へ例えばＩＭ＿Ｅｎｔｒｙ＿Ｓｔａｔｅ＿Ｃｈａｎｇｅ＿Ｒｅｑメッセージを送信して、第２端末１２の状態を通常状態に変更することを依頼する（ステップＳ３２）。
【００３７】
管理装置１５は、第２端末１２の状態をアイドル状態から通常状態へ変更し（ステップＳ３３）、基地局１４へ例えばＩＭ＿Ｅｎｔｒｙ＿Ｓｔａｔｅ＿Ｃｈａｎｇｅ＿Ｒｓｐメッセージを基地局１４へ送信する（ステップＳ３４）。基地局１４は、管理装置１５から例えばＩＭ＿Ｅｎｔｒｙ＿Ｓｔａｔｅ＿Ｃｈａｎｇｅ＿Ｒｓｐメッセージを受け取ると、第２端末１２へ例えばＲＮＧ−ＲＳＰ（レンジング応答）メッセージを送信する（ステップＳ３５）。それによって、第２端末１２はアイドル状態から通常状態に復帰する。
【００３８】
一方、管理装置１５は、第２端末１２のフラグの情報５１を参照し（ステップＳ３６）、第１端末１１のページング周期を第２のページング周期から第１のページング周期へ変更する（ステップＳ３７）。そして、管理装置１５は、基地局１４へページング周期の変更通知メッセージを送信する（ステップＳ３８）。基地局１４は、管理装置１５からページング周期の変更通知メッセージを受け取ると、第１端末１１の次のＰＬＩのときに、第１端末１１へページング周期の変更通知メッセージを送信する（ステップＳ３９）。第１端末１１は、基地局１４からページング周期の変更通知メッセージを受け取ると、それ以降のページング周期を第２のページング周期から第１のページング周期に変更し、アイドル動作を継続する。
【００３９】
・管理装置の動作２
図１４は、本発明の実施の形態３における管理装置のフローチャートである。図１４に示すように、管理装置１５は、基地局１４から、第２端末１２の要求に基づく例えばＩＭ＿Ｅｎｔｒｙ＿Ｓｔａｔｅ＿Ｃｈａｎｇｅ＿Ｒｅｑメッセージを受け取ると、第２端末１２の状態をアイドル状態から通常状態へ更新する（ステップＳ４１）。そして、管理装置１５は、基地局１４へ例えばＩＭ＿Ｅｎｔｒｙ＿Ｓｔａｔｅ＿Ｃｈａｎｇｅ＿Ｒｓｐメッセージを送信する（ステップＳ４２）。次いで、管理装置１５は、第２端末１２のフラグの情報５１が設定されているか否かを確認する（ステップＳ４３）。フラグの情報５１が設定されていない場合には（ステップＳ４３：Ｎｏ）、処理を終了する。
【００４０】
フラグの情報５１が設定されている場合には（ステップＳ４３：Ｙｅｓ）、管理装置１５は、第１端末１１の現在の状態を参照する（ステップＳ４４）。第１端末１１の状態が通常状態であれば（ステップＳ４４：Ｎｏ）、処理を終了する。第１端末１１の状態がアイドル状態であれば（ステップＳ４４：Ｙｅｓ）、管理装置１５は、第１端末１１に指示されているページング周期を参照する（ステップＳ４５）。第２のページング周期が指示されていない場合（ステップＳ４５：Ｎｏ）、処理を終了する。第２のページング周期が指示されている場合（ステップＳ４５：Ｙｅｓ）、通常状態に復帰した第２端末１２からの呼び出しが発生する可能性が生じたので、管理装置１５は、第１端末１１のページング周期を第１のページング周期に変更する（ステップＳ４６）。そして、管理装置１５は、基地局１４へページング周期の変更通知メッセージを送信し（ステップＳ４７）、一連の処理を終了する。
【００４１】
図１５は、本発明の実施の形態３における管理情報を示す図表である。上述した無線通信システムの動作２および管理装置の動作２によって、図１５に示すように、第２端末１２の状態がアイドル状態から通常状態に更新され、第２端末１２のページング周期が第１のページング周期から無しに更新される。また、第１端末１１はアイドル状態を継続し、第１端末１１のページング周期が第２のページング周期から第１のページング周期に更新される。
【００４２】
実施の形態３によれば、第１端末１１がアイドル状態であるときに、第１端末１１に通信相手として関係づけられた端末（第２端末１２）がアイドル状態から通常状態に復帰すると、第１端末１１のページング周期が第１のページング周期に変更される。従って、第１端末１１がアイドル状態にあるときに第２端末１２によって第１端末１１が呼び出されても、第１端末１１は迅速に応答することができる。
【００４３】
（実施の形態４）
・端末の構成
図１６は、本発明の実施の形態４における端末のブロック図である。図１６に示すように、第１端末１１は、記憶部３７に閾値の情報５３を保持する。実施の形態４では、第１端末１１は、通信相手として関係づけられた端末（第２端末１２）の数が閾値を超えない場合、実施の形態２で説明したように、ページング周期として第２のページング周期が指示される。通信相手として関係づけられた端末（第２端末１２）の数が閾値を超える場合には、第１端末１１は、ページング周期として第１のページング周期が指示される。無線通信システムおよび管理装置については、実施の形態２と同様である。
【００４４】
・無線通信システムの動作
図１７は、本発明の実施の形態４における無線通信システムのシーケンス図である。図１７に示すように、第１端末１１は、通常状態からアイドル状態へ移行しようとするとき、まず、第１端末１１に通信相手として関係づけられた端末（第２端末１２）の数が閾値を超えるか否かを判定する（ステップＳ１８）。閾値を超えない場合には、第１端末１１は、例えばＤＲＥＧ−ＲＥＱメッセージに、第１端末１１に通信相手として関係づけられた端末（第２端末１２）の情報を含めて、基地局１４へ例えばＤＲＥＧ−ＲＥＱメッセージを送信する（ステップＳ１１）。それによって、実施の形態２で説明したように、第１端末１１は、アイドル状態へ移行し（ステップＳ１２〜ステップＳ１６）、第２のページング周期でＰＬＩおよびＰＵＩを管理する。一方、閾値を超える場合には、第１端末１１は、例えばＤＲＥＧ−ＲＥＱメッセージに、第１端末１１に通信相手として関係づけられた端末（第２端末１２）の情報を含めずに、基地局１４へ例えばＤＲＥＧ−ＲＥＱメッセージを送信する（ステップＳ１１）。それによって、管理装置１５は、第１端末１１に第１のページング周期を指示する（ステップＳ１２〜ステップＳ１５）。第１端末１１は、アイドル状態へ移行し（ステップＳ１６）、第１のページング周期でＰＬＩおよびＰＵＩを管理する。
【００４５】
・管理装置の動作
図１８は、本発明の実施の形態４における管理装置のフローチャートである。図１８に示すように、管理装置１５は、第１端末１１に通信相手として関係づけられた端末（第２端末１２）の情報を取得する（ステップＳ２１）。しかし、通信相手として関係づけられた端末（第２端末１２）の情報がない場合（ステップＳ２８：Ｙｅｓ）、管理装置１５は、第１端末１１のページング周期を第１のページング周期に決定する（ステップＳ２５）。通信相手として関係づけられた端末（第２端末１２）の情報がある場合（ステップＳ２８：Ｎｏ）、実施の形態２で説明したように、第１端末１１に通信相手として関係づけられた端末（第２端末１２）の状態に応じて、第１端末１１のページング周期を決定する（ステップＳ２４、ステップＳ２５）。
【００４６】
実施の形態４によれば、第１端末１１に通信相手として関係づけられた端末が多い場合に、第１端末１１のページング周期を第１のページング周期に迅速に決定することができる。第１端末１１に通信相手として関係づけられた端末が多いと、通信相手として関係づけられた全ての端末の状態を確認するのに時間がかかったり、問い合わせメッセージのオーバヘッドが大きくなるおそれがある。実施の形態４によれば、そのような不都合を解消することができる。なお、実施の形態４において、実施の形態３と同様に、第１端末１１がアイドル状態であるときに、第１端末１１に通信相手として関係づけられた端末（第２端末１２）がアイドル状態から通常状態に復帰するときに、第１端末１１のページング周期を第１のページング周期に変更するようにしてもよい。
【００４７】
（実施の形態５）
・無線通信システムの動作
図１９は、本発明の実施の形態５における無線通信システムのシーケンス図である。図１９に示すように、管理装置１５は、基地局１４から例えばＩＭ＿Ｅｎｔｒｙ＿Ｓｔａｔｅ＿Ｃｈａｎｇｅ＿Ｒｅｑメッセージを受け取ると（ステップＳ１１、ステップＳ１２）、まず、基地局１４を介して第１端末１１に第１のページング周期を指示する（ステップＳ１４、ステップＳ１５）。それによって、第１端末１１は、アイドル状態へ移行し（ステップＳ１６）、第１のページング周期でＰＬＩおよびＰＵＩを管理する。管理装置１５は、第１端末１１に第１のページング周期を指示した後、第２端末１２がアイドル状態にあることを確認すると、第１端末１１のページング周期を第２のページング周期に決定する（ステップＳ１３）。そして、管理装置１５は、基地局１４を介して第１端末１１へページング周期の変更通知メッセージを送信する（ステップＳ５１、ステップＳ５２）。第１端末１１は、ページング周期の変更通知メッセージを受け取ると、それ以降のページング周期を第１のページング周期から第２のページング周期に変更し、アイドル動作を継続する。無線通信システム、管理装置および端末については、実施の形態２と同様である。
【００４８】
実施の形態５によれば、管理装置１５において、第１端末１１に通信相手として関係づけられた全ての端末の状態を確認するのに時間がかかる場合でも、第１端末１１のページング周期を第１のページング周期に迅速に決定することができる。第１端末１１のページング周期を一旦、第１のページング周期に決定した後、第２のページング周期へ変更することができる。なお、実施の形態５において、実施の形態３と同様に、第１端末１１がアイドル状態であるときに、第１端末１１に通信相手として関係づけられた端末（第２端末１２）がアイドル状態から通常状態に復帰するときに、第１端末１１のページング周期を第１のページング周期に変更するようにしてもよいし、実施の形態４のように閾値の判定を行うようにしてもよい。
【００４９】
（実施の形態６）
・端末の構成
図２０は、本発明の実施の形態６における端末のブロック図である。図２０に示すように、第１端末１１は、記憶部３７に、通信相手として関係づけられた端末の情報を保持していない。実施の形態６では、通信相手として関係づけられた端末の情報は、管理装置に保持されている。無線通信システムおよび管理装置については、実施の形態２と同様である。ただし、図４に示す管理装置１５の構成において、予め記憶部２１に、通信相手として関係づけられた端末の情報２５が保持されている。実施の形態２のように、第１端末１１からその都度、例えばＤＲＥＧ−ＲＥＱメッセージに含まれて与えられるわけではない。
【００５０】
・無線通信システムの動作
図２１は、本発明の実施の形態６における無線通信システムのシーケンス図である。図２１に示すように、第１端末１１は、通常状態からアイドル状態へ移行しようとするとき、基地局１４へＤＲＥＧ−ＲＥＱメッセージを送信する（ステップＳ１１）。このＤＲＥＧ−ＲＥＱメッセージには、第２端末１２の情報は含まれていない。管理装置１５は、基地局１４から例えばＩＭ＿Ｅｎｔｒｙ＿Ｓｔａｔｅ＿Ｃｈａｎｇｅ＿Ｒｅｑメッセージを受け取ると（ステップＳ１２）、記憶部２１に予め保持されている、通信相手として関係づけられた端末の情報２５を参照し、第１端末１１に通信相手として関係づけられた端末（第２端末１２）を抽出する。そして、管理装置１５は、アイドル状態に関する種々の管理情報２４に格納されている第２端末１２の情報を参照し、第２端末１２の状態を確認し、第１端末１１のページング周期を決定する（ステップＳ１３）。管理装置１５は、第１端末１１にページング周期を指示する（ステップＳ１４、ステップＳ１５）。第１端末１１は、アイドル状態へ移行し（ステップＳ１６）、指示されたページング周期でＰＬＩおよびＰＵＩを管理する。
【００５１】
実施の形態６によれば、通信相手として関係づけられた端末の情報を管理装置１５が保持していても、実施の形態２と同様の効果が得られる。なお、実施の形態６において、実施の形態３と同様に、第１端末１１がアイドル状態であるときに、第１端末１１に通信相手として関係づけられた端末（第２端末１２）がアイドル状態から通常状態に復帰するときに、第１端末１１のページング周期を第１のページング周期に変更するようにしてもよい。
【００５２】
（実施の形態７）
・端末の構成
図２２は、本発明の実施の形態７における管理装置のブロック図である。図２２に示すように、管理装置１５は、記憶部２１に閾値の情報５４を保持する。実施の形態７では、管理装置１５が閾値の判定を行う。通信相手として関係づけられた端末の情報は、管理装置１５に保持されている。無線通信システムおよび端末については、実施の形態６と同様である。
【００５３】
・無線通信システムの動作
図２３は、本発明の実施の形態７における無線通信システムのシーケンス図である。図２３に示すように、管理装置１５は、基地局１４から例えばＩＭ＿Ｅｎｔｒｙ＿Ｓｔａｔｅ＿Ｃｈａｎｇｅ＿Ｒｅｑメッセージを受け取ると（ステップＳ１２）、記憶部２１に予め保持されている、通信相手として関係づけられた端末の情報２５を参照し、第１端末１１に通信相手として関係づけられた端末（第２端末１２）を抽出する。また、管理装置１５は、記憶部２１に予め保持されている閾値の情報５４を参照し、閾値を取得する。そして、管理装置１５は、第１端末１１に通信相手として関係づけられた端末（第２端末１２）の数が閾値を超えない場合、実施の形態２で説明したように、ページング周期として第２のページング周期を指示する。第１端末１１に通信相手として関係づけられた端末（第２端末１２）の数が閾値を超える場合には、管理装置１５は、ページング周期として第１のページング周期を指示する（ステップＳ１３）。管理装置１５は、第１端末１１にページング周期を指示する（ステップＳ１４、ステップＳ１５）。第１端末１１は、アイドル状態へ移行し（ステップＳ１６）、指示されたページング周期でＰＬＩおよびＰＵＩを管理する。
【００５４】
・管理装置の動作
図２４は、本発明の実施の形態７における管理装置のフローチャートである。図２４に示すように、管理装置１５は、第１端末１１に通信相手として関係づけられた端末（第２端末１２）の情報を取得する（ステップＳ２１）。次いで、管理装置１５は、第１端末１１に通信相手として関係づけられた端末（第２端末１２）の数が閾値を超える場合（ステップＳ２９：Ｙｅｓ）、第１端末１１のページング周期を第１のページング周期に決定する（ステップＳ２５）。通信相手として関係づけられた端末（第２端末１２）の数が閾値を超えない場合（ステップＳ２９：Ｎｏ）、管理装置１５は、第１端末１１のページング周期を第２のページング周期に決定する（ステップＳ２４）。
【００５５】
実施の形態７によれば、閾値の情報５４を管理装置１５が保持していても、実施の形態４と同様の効果が得られる。なお、実施の形態７において、実施の形態３と同様に、第１端末１１がアイドル状態であるときに、第１端末１１に通信相手として関係づけられた端末（第２端末１２）がアイドル状態から通常状態に復帰するときに、第１端末１１のページング周期を第１のページング周期に変更するようにしてもよい。
【００５６】
（実施の形態８）
・無線通信システムの構成
図２５は、本発明の実施の形態８における無線通信システムのブロック図である。図２５に示すように、無線通信システムは、第１端末１１、第２端末１２、第３端末１３、基地局１４および管理装置１５と、Ａｕｔｈｅｎｔｉｃａｔｉｏｎ  Ａｕｔｈｏｒｉｚａｔｉｏｎ  Ａｃｃｏｕｎｔｉｎｇ（ＡＡＡ、認証、許可、アカウンティング）サーバ１６を備えている。実施の形態８では、管理装置１５は、通信相手として関係づけられた端末の情報をＡＡＡサーバ１６から取得する。
【００５７】
・ＡＡＡサーバの構成
図２６は、本発明の実施の形態８におけるＡＡＡサーバのブロック図である。図２６に示すように、ＡＡＡサーバ１６は、記憶部６１、制御部６２およびネットワークインタフェース６３を備えている。記憶部６１は、加入者に関する情報６４、および第１端末１１に通信相手として関係づけられた端末の情報６５を保持する。通信相手として関係づけられた端末の情報６５には、例えば第２端末１２の情報が含まれる。制御部６２は、管理装置１５からの問い合わせに応じて、記憶部６１に保持された、通信相手として関係づけられた端末の情報６５を参照して、通信相手として関係づけられた端末の情報を管理装置１５へ通知する。制御部６２は、制御メッセージ処理部６６を備えている。制御メッセージ処理部６６は、管理装置１５からの問い合わせメッセージを解析したり、管理装置１５への通知メッセージを生成する。ネットワークインタフェース６３は、基地局１４、管理装置１５または上位ネットワークとの間でのデータの送受信を司るインタフェースである。
【００５８】
・無線通信システムの動作
図２７は、本発明の実施の形態８における無線通信システムのシーケンス図である。図２７に示すように、管理装置１５は、基地局１４から例えばＩＭ＿Ｅｎｔｒｙ＿Ｓｔａｔｅ＿Ｃｈａｎｇｅ＿Ｒｅｑメッセージを受け取ると（ステップＳ１２）、ＡＡＡサーバ１６に、第１端末１１に通信相手として関係づけられた端末の情報を要求する（ステップＳ５３）。ＡＡＡサーバ１６は、記憶部６１に保持されている、通信相手として関係づけられた端末の情報６５を参照し、第１端末１１に通信相手として関係づけられた端末を抽出して、管理装置１５へ通知する（ステップＳ５４）。管理装置１５は、ＡＡＡサーバ１６から取得した、第１端末１１に通信相手として関係づけられた端末の状態を確認し、第１端末１１のページング周期を決定する（ステップＳ１３）。管理装置１５は、第１端末１１にページング周期を指示する（ステップＳ１４、ステップＳ１５）。第１端末１１は、アイドル状態へ移行し（ステップＳ１６）、指示されたページング周期でＰＬＩおよびＰＵＩを管理する。
【００５９】
実施の形態８によれば、第１端末１１および管理装置１５が、通信相手として関係づけられた端末の情報を保持していなくても、ＡＡＡサーバ１６などの他の装置から当該情報を取得することによって、実施の形態２と同様の効果が得られる。なお、実施の形態８において、実施の形態３と同様に、第１端末１１がアイドル状態であるときに、第１端末１１に通信相手として関係づけられた端末（第２端末１２）がアイドル状態から通常状態に復帰するときに、第１端末１１のページング周期を第１のページング周期に変更するようにしてもよいし、実施の形態７のように閾値の判定を行うようにしてもよい。
【００６０】
上述した実施の形態１〜８に関し、さらに以下の付記を開示する。
【００６１】
（付記１）端末の状態に関する情報を保持する記憶部と、第１端末からの要求に対して、該記憶部に保持されている情報に基づいて、該第１端末の通信相手として関係づけられた第２端末の状態を確認し、該第２端末の状態に基づいて、該第１端末が間欠的に受信を行う周期を変更前の周期に対して長い周期に変更する制御を行う制御部と、を備えることを特徴とする管理装置。
【００６２】
（付記２）前記制御部は、前記第２端末がアイドル状態である場合に、前記第１端末が間欠的に受信を行う周期を前記変更前の周期に対して前記長い周期に変更することを特徴とする付記１に記載の管理装置。
【００６３】
（付記３）前記制御部は、前記第１端末の通信相手として関係づけられた前記第２端末の数と、予め設定された閾値とに基づいて、前記第１端末が間欠的に受信を行う周期を決定することを特徴とする付記１または２に記載の管理装置。
【００６４】
（付記４）前記制御部は、前記第１端末からの前記要求に対して前記第１端末が間欠的に受信を行う周期を前記変更前の周期に対して前記長い周期に変更する際に状態を確認した前記第２端末からの要求に対して、前記第１端末が間欠的に受信を行う周期を前記長い周期から前記変更前の周期に変更することを特徴とする付記１〜３のいずれか一つに記載の管理装置。
【００６５】
（付記５）前記第１端末の通信相手として関係づけられた前記第２端末の情報を保持する記憶部、をさらに備えることを特徴とする付記１〜４のいずれか一つに記載の管理装置。
【００６６】
（付記６）第１の動作状態から第２の動作状態への移行の要求を送信する送信部と、該送信部から送信された該要求に対して、通信相手として関係づけられた端末の状態に応じた応答を受信する受信部と、該受信部で受信された該応答に基づいて、該受信部が間欠的に受信を行う周期を変更前の周期に対して長い周期に変更する制御を行う受信制御部と、を備えることを特徴とする無線通信装置。
【００６７】
（付記７）前記受信制御部は、通信相手として関係づけられた前記端末がアイドル状態である場合に、前記受信部が間欠的に受信を行う周期を前記変更前の周期に対して前記長い周期に変更することを特徴とする付記６に記載の無線通信装置。
【００６８】
（付記８）通信相手として関係づけられた前記端末の情報を保持する記憶部、をさらに備え、前記送信部は、前記要求に、通信相手として関係づけられた前記端末の情報を含めて送信することを特徴とする付記６または７に記載の無線通信装置。
【００６９】
（付記９）前記記憶部に保持された、通信相手として関係づけられた前記端末の数と、予め設定された閾値とに基づいて、前記要求に、通信相手として関係づけられた前記端末の情報を含めるか否かを制御する制御部、をさらに備えることを特徴とする付記８に記載の無線通信装置。
【００７０】
（付記１０）第１の動作状態から第２の動作状態への移行の要求に対して、通信相手として関係づけられた端末の状態に応じた応答を受信し、該応答に基づいて、間欠的に受信を行う周期を変更前の周期に対して長い周期に変更する制御を行う無線通信装置と、該無線通信装置からの要求に対する応答として、該無線通信装置の通信相手として関係づけられた端末の状態を確認し、該端末の状態に基づいて、該無線通信装置が間欠的に受信を行う周期を前記変更前の周期に対して前記長い周期に変更する制御を行う管理装置と、を備えることを特徴とする無線通信システム。
【００７１】
（付記１１）前記管理装置は、前記無線通信装置の通信相手として関係づけられた前記端末がアイドル状態である場合に、前記無線通信装置が間欠的に受信を行う周期を前記変更前の周期に対して前記長い周期に変更することを特徴とする付記１０に記載の管理装置。
【００７２】
（付記１２）前記管理装置は、前記無線通信装置の通信相手として関係づけられた前記端末の数と、予め設定された閾値とに基づいて、前記無線通信装置が間欠的に受信を行う周期を決定することを特徴とする付記１０または１１に記載の無線通信システム。
【００７３】
（付記１３）前記管理装置は、前記無線通信装置からの前記要求に対して前記無線通信装置が間欠的に受信を行う周期を前記変更前の周期に対して前記長い周期に変更する際に状態を確認した前記端末からの要求に対して、前記無線通信装置が間欠的に受信を行う周期を前記長い周期から前記変更前の周期に変更することを特徴とする付記１０〜１２のいずれか一つに記載の無線通信システム。
【００７４】
（付記１４）前記管理装置は、前記無線通信装置の通信相手として関係づけられた前記端末の情報を保持することを特徴とする付記１０〜１３のいずれか一つに記載の無線通信システム。
【００７５】
（付記１５）前記無線通信装置は、通信相手として関係づけられた前記端末の情報を保持し、前記要求に、通信相手として関係づけられた前記端末の情報を含めることを特徴とする付記１０に記載の無線通信システム。
【００７６】
（付記１６）前記無線通信装置は、通信相手として関係づけられた前記端末の数と、予め設定された閾値とに基づいて、前記要求に、通信相手として関係づけられた前記端末の情報を含めるか否かを制御することを特徴とする付記１５に記載の無線通信システム。
【００７７】
（付記１７）無線通信装置が管理装置へ、第１の動作状態から第２の動作状態への移行を要求するステップと、該管理装置が該無線通信装置からの要求に対する応答として、該無線通信装置の通信相手として関係づけられた端末の状態を確認し、該端末の状態に基づいて、該無線通信装置が間欠的に受信を行う周期を変更前の周期に対して長い周期に変更する制御を行うステップと、該無線通信装置が、該管理装置からの応答に基づいて、間欠的に受信を行う周期を前記変更前の周期に対して前記長い周期に変更する制御を行うステップと、を含むことを特徴とする無線通信方法。
【００７８】
（付記１８）前記無線通信装置の通信相手として関係づけられた端末がアイドル状態である場合に、前記無線通信装置が間欠的に受信を行う周期を前記変更前の周期に対して前記長い周期に変更することを特徴とする付記１７に記載の無線通信方法。
【００７９】
（付記１９）前記管理装置は、前記無線通信装置の通信相手として関係づけられた前記端末の数と、予め設定された閾値とに基づいて、前記無線通信装置が間欠的に受信を行う周期を決定することを特徴とする付記１７または１８に記載の無線通信方法。
【００８０】
（付記２０）前記管理装置が前記無線通信装置への前記応答として、前記無線通信装置が間欠的に受信を行う周期を決定した後、前記無線通信装置からの前記要求に対して前記無線通信装置が間欠的に受信を行う周期を前記変更前の周期に対して前記長い周期に変更する際に状態を確認した前記端末からの要求に対して、前記無線通信装置が間欠的に受信を行う周期を前記長い周期から前記変更前の周期に変更するステップ、をさらに含むことを特徴とする付記１７〜１９のいずれか一つに記載の無線通信方法。
【符号の説明】
【００８１】
１  無線通信装置
２，１５  管理装置
３，３４  送信部
４  受信制御部
５  受信部
６，２１，３７  記憶部
７，３６  制御部
１１  第１端末
１２  第２端末
【図１】
2010232707.tif 000003
【図２】
2010232707.tif 000004
【図３】
2010232707.tif 000005
【図４】
2010232707.tif 000006
【図５】
2010232707.tif 000007
【図６】
2010232707.tif 000008
【図７】
2010232707.tif 000009
【図８】
2010232707.tif 000010
【図９】
2010232707.tif 000011
【図１０】
2010232707.tif 000012
【図１１】
2010232707.tif 000013
【図１２】
2010232707.tif 000014
【図１３】
2010232707.tif 000015
【図１４】
2010232707.tif 000016
【図１５】
2010232707.tif 000017
【図１６】
2010232707.tif 000018
【図１７】
2010232707.tif 000019
【図１８】
2010232707.tif 000020
【図１９】
2010232707.tif 000021
【図２０】
2010232707.tif 000022
【図２１】
2010232707.tif 000023
【図２２】
2010232707.tif 000024
【図２３】
2010232707.tif 000025
【図２４】
2010232707.tif 000026
【図２５】
2010232707.tif 000027
【図２６】
2010232707.tif 000028
【図２７】
2010232707.tif 000029